(57)【要約】      （修正有）【課題】ガスコンロのフレーム板とガスバーナーと五徳とガス管と回転ボタンと保護装置を備える、遠火自動保護ガスコンロを提供する。【解決手段】ガスバーナー２が、ガスコンロのフレーム板１の燃焼穴の中に設置され、ガス管５が、ガスバーナーと繋がってガスバーナーに炎を形成し、五徳３に載せた鍋を加熱し、調整ボタン６がガス管に設置され、ガス管の中のガスの量を調整し、五徳と繋がる保護装置を含み、保護装置が、積載片４１と転送レバー４２と遠火調節弁とリセットレバー４４とを備え、積載片が、ガスコンロのフレーム板の段差部に設置する環状片であり、積載片の上部に五徳を置き、積載片の側部が、転送レバーにより遠火調節弁と繋がり、リセットレバーが、転送レバーと繋がり、バネを内蔵する伸縮レバー構造であり、リセットレバーが、バネにより転送レバーを支えて積載片が宙吊りになり、遠火調節弁が、調整ボタンとガスバーナーとの間のガス管に設置されている。【選択図】図２
0003222519.tif 000002
【実用新案登録請求の範囲】
【請求項１】
ガスコンロのフレーム板とガスバーナーと五徳とガス管と調整ボタンと保護装置とを備え、
前記ガスバーナーが、前記ガスコンロのフレーム板の燃焼穴の中に設置され、
前記ガス管が、前記ガスバーナーと繋がって前記ガスバーナーに炎を形成し、五徳に載せた鍋を加熱し、前記調整ボタンが前記ガス管に設置され、ガス管の中のガスの量を調整し、前記五徳と繋がる保護装置を含み、
前記保護装置が、積載片と転送レバーと遠火調節弁とリセットレバーとを備え、
前記積載片が、ガスコンロのフレーム板の段差部に設置する環状片であり、前記積載片の上部に前記五徳を置き、
前記積載片の側部が、前記転送レバーにより遠火調節弁と繋がり、
前記リセットレバーが、転送レバーと繋がり、
前記リセットレバーが、バネを内蔵する伸縮レバー構造であり、
前記リセットレバーが、前記バネにより転送レバーを支えて積載片が宙吊りになり、
前記遠火調節弁が、前記回転ボタンとガスバーナーとの間の前記ガス管に設置されていることを特徴とする遠火自動保護ガスコンロ。
【請求項２】
前記ガスコンロが、前記ガス管を接続し制御する検査制御システムを含み、
前記検査制御システムが、第１接触センサとコントローラと安全電磁弁とを備え、
前記第１接触センサが、前記転送レバーの真上の前記ガスコンロのフレーム板に設けられ、
前記転送レバーが、前記ガスコンロのフレーム板と接触するかどうかを検出し、
前記安全電磁弁が、前記ガス管に設けられ、
前記コントローラが、前記第１接触センサと前記安全電磁弁とそれぞれ接続し、
前記転送レバーが、前記ガスコンロのフレーム板との接触時間が予定時間に達した後に、前記安全電磁弁を閉じることを制御することを特徴とする請求項１に記載の遠火自動保護ガスコンロ。
【請求項３】
前記検査制御システムが、第２接触センサを備え、
前記第２接触センサが、ガスコンロのフレーム板の段差部の底に設けられ、
前記転送レバーが、前記段差部の底に接触するかどうかを検出し、
前記第２接触センサが、前記コントローラと繋がって前記転送レバーが前記段差部の底に接触する時間が予定時間に達した後に前記安全電磁弁の制御策略を呼び出すことを特徴とする請求項２に記載の遠火自動保護ガスコンロ。
【請求項４】
前記検査制御システムが、コントローラの人体センサと警報器を備え、
前記人体センサが、前記ガスコンロのフレーム板の側壁に設置し、
前記警報器が、前記ガスコンロのフレーム板の縁辺に設置し、
前記転送レバーが、前記ーブのフレーム板と接触する時間が予定時間に達した後に通報の信号を出すことを特徴とする請求項２に記載の遠火自動保護ガスコンロ。
【請求項５】
前記転送レバーの一端に前記積載片の側辺と接続し、他の一端には、歯切れ構造を設置し、前記遠火調節弁の調節部が歯車構造であり、
前記転送レバーが、歯切れと歯車との噛み合い伝動により、前記遠火調節弁のバルブ開度を変えることを特徴とする請求項１に記載の遠火自動保護ガスコンロ。
【請求項６】
前記転送レバーが、前記ガスコンロのフレーム板の段差部に連結し、
前記連結の位置が、前記転送レバーと前記積載片の接続位置に近接することを特徴とする請求項１に記載の遠火自動保護ガスコンロ。
【請求項７】
前記リセットレバーが、外套筒、活動レバー、接触ブロックを備え、
前記活動レバーが、外套筒の内部に設置し、前記外套筒の内部に滑り、
前記活動レバーが、前記外套筒との間の滑りを減衰し、
前記接触ブロックが、前記活動レバーの先端に設置され、前記バネの支えにより前記ガスコンロのフレーム板と接触することを特徴とする請求項１に記載の遠火自動保護ガスコンロ。
【考案の詳細な説明】
【技術分野】
【０００１】
本考案は、知能型家庭用品に関し、特に、遠火自動保護ガスコンロに関するものである。
【背景技術】
【０００２】
現有のガスコンロを使用する場合に、五徳の下方の燃焼頭が、炎を形成し、五徳の上の鍋を加熱する。
オペレータが調理によって、例えば、炒める場合に、よく鍋を五徳から離し、この時に、燃焼頭上の炎が浪費になる。
その他に、燃焼頭の炎が、スモーカーの作用下に増え続けて、ガスコンロの回りに火をつけやすい、火事を引起す危険がある。
【０００３】
鍋を火から離す場合に、燃焼頭の炎が周りのものに危険を及ぼすことを避けるために、現有のガスコンロでは、調理の過程で鍋を炎から離すと、手動で炎の強さを調整し、燃焼頭の炎を小さくし、鍋を再び五徳に置いて調理する場合に、手動で燃焼頭の炎を大きくする。
多くの場合に、一回の調理で何回も鍋を火から離して、何回も手動調整する必要があって、現有のガスコンロ、特に、猛火ガスコンロは、調理の過程において操作不便の問題がある。
【考案の概要】
【考案が解決しようとする課題】
【０００４】
本考案は、遠火自動保護ガスコンロを提供し、伝統のガスコンロによる火災危険を解決するのである。
【課題を解決するための手段】
【０００５】
本考案の遠火自動保護ガスコンロは、ガスコンロのフレーム板とガスバーナーと五徳とガス管と調整ボタンとを備え、前記ガスバーナーが、前記ガスコンロのフレーム板の燃焼穴に設置され、前記ガス管が、前記ガスバーナーと繋がって前記ガスバーナーに炎を形成し、前記五徳に載せた鍋を過熱し、前記調整ボタンが、前記ガス管に設置され、ガス管の中のガス流量を調整し、五徳に接続する保護装置も含み、前記保護装置が、積載片と転送レバーと遠火調節弁及びリセットレバーを備え、前記積載片が、前記ガスコンロのフレーム板の段差部に設置する環状片であり、前記積載片の上部に五徳を置き、前記積載片の側部が、転送レバーにより前記遠火調節弁と接続し、前記リセットレバーが、前記転送レバーと接続し、前記リセットレバーが、バネの伸縮レバー構造を内蔵し、前記リセットレバーが、前記バネにより前記転送レバーを支え、前記積載片が、宙吊り状態になり、前記遠火調節弁が、調節ボタンとガスバーナーとの間のガス管に設置されている。
本考案は、遠火自動保護ガスコンロを提供し、実際使用の場合に、鍋を五徳に置いた後、五徳が積載片と共に下へガスコンロのフレーム板の段差部の底まで移動し、鍋が五徳から離れる場合に、リセットレバーが弾力作用により積載片を上へ移動させ、積載片が上へ移動する過程で転送レバーにより上への変位を遠火調節弁まで転送し、遠火調節弁の開度が小さくする。
鍋が火から離れると、ガスバーナーの炎を自動的に小さくし、ガスバーナーの炎により、ガスコンロの周りの物を燃やすことを避け、頻繁に手動で調節することを避け、火災のリストを下げる。
【図面の簡単な説明】
【０００６】
【図１】本考案の遠火自動保護ガスコンロの構成を示す図である。
【図２】本考案の遠火自動保護ガスコンロの局部の構成を示す断面図である。
【図３】本考案の遠火自動保護ガスコンロの回路の接続を示す図である。
【図４】本考案における検査制御システムの回路の接続を示す図である。
【図５】本考案における保護装置の一つの例示を示す図である。
【図６】本考案におけるリセットレバーを示す図である。
【考案を実施するための形態】
【０００７】
図１は、本考案の一実施例に係る遠火自動保護ガスコンロの構成を示す図であり、図２は、本考案の遠火自動保護ガスコンロにおける局部の構成を示す断面図である。
図１と図２により、本考案は、遠火自動保護ガスコンロを提供し、ガスコンロのフレーム板１とガスバーナー２と五徳３とガス管５と調整ボタン６とを備える。
前記ガスコンロのフレーム板１は、全体のガスコンロを支える。
ガスコンロの外殻として、ガスコンロのフレーム板１は、美観と艶やかを持つ硬化ガラス或いは金属材料により構成する。
ガスコンロのフレーム板１の上にガスを燃やす場所を提供し、即ち、ガスコンロのフレーム板１に燃焼穴１１を設置し、燃焼穴１１の数量がガスコンロ上の料理するワークステーションの数を決め、例えば、普通の家庭用のガスコンロには、二つの料理する場所を設置し、即ち、ガスコンロのフレーム板１に二つの燃焼穴１１を設置する。
【０００８】
ガスバーナー２は、ガスコンロのフレーム板１の燃焼穴１１の中に設置し、ガス管５は、ガスバーナー２と繋がり、ガスバーナー２の上に炎を形成し、五徳３が支える鍋を加熱する。
ガスバーナー２の形により、燃焼穴１１は、適当な形にする。
通常、ガスバーナー２は、円筒構造であるため、燃焼穴１１は、円筒形の沈孔構造である。
このために、燃焼穴１１は、スコンロのフレーム板１の上の上端面と、ガスバーナー２の下方の下端面と、上端面と下端面の間の側壁を備える。
明らかに、五徳３の上の鍋を加熱するために、五徳３は、燃焼穴１１の上端面の位置に設置され、ガスバーナー２は、燃焼穴の下端に固定し、燃焼穴１１の側壁には、ガス管５を通すための穴を設置してある。
【０００９】
本考案のガスコンロ上の調整ボタン６は、二つの機能があり、その一つ目の機能は、火をつけること、つまり、調整ボタン６を押す、また、回転することにより、ガスバーナー２に電気の火花ができて、ガスバーナー２は、放出されたガスを燃やし、その二つ目の機能は、炎の大きさを調整し、つまり、調整ボタン６は、ガス管５に設置して内蔵した調節弁により、料理中に、手動でガス管５からガスバーナー２のガス量を調整することができる。
【００１０】
鍋を火から離す場合の自動保護を実現するために、本考案のガスコンロは、五徳３と接続する保護装置４を含む。
具体的には、保護装置４は、積載片４１と転送レバー４２と遠火調節弁４３とリセットレバー４４とを備える。
前記積載片４１は、ガスコンロのフレーム板１の段差部１２の中に設置した環状片であり、積載片４１の上方には、五徳３を設置する。
本考案における燃焼穴１１の上端には、段差部１２を設置し、この段差部１２は、ガスコンロのフレーム板１と平行する底面と、ガスコンロのフレーム板１と垂直する側面と、を備える。
段差部１２は、積載片４１と五徳３を置くことができ、鍋を置いた後の安定性とガスコンロの全体の美観を保持することができる。
段差部１２は、積載片４１の縦方向の移動スペースを提供する。
積載片４１は、環状片であり、その内径は、燃焼穴１１の直径より大きいか或いは等しく、積載片４１は、ガスバーナー２の炎の燃焼を防ぐことを回避する。
本考案における燃焼穴１１と段差部１２とフレーム板１とは、一体成形の金属或いは高温に耐える硬化ガラス材料からなり、全体の美観を保ち、安定の支える強度を持つ。
【００１１】
積載片４１の側面は、転送レバー４２により、遠火調節弁４３と接続する。
転送レバー４２は、前記ガスコンロのフレーム板１を貫通する段差部１２の側面の棒構造であり、五徳３に鍋を置いたあと、鍋の重力によって五徳３と積載片４１とを圧迫して、下へ最終接触する前記段差部１２の底まで移動し、段差部１２の底の支えを受ける。
本考案における積載片４１は、縦方向の移動により、転送レバー４２も縦方向に移動させ、その移動した変位を遠火調節弁４３に転送し、遠火調節弁４３を制御することができ、この遠火調節弁４３は、調整ボタン６とガスバーナー２の間のガス管５に設置され、ガス管５の中のガス量を制御することができる。
転送レバー４２は、縦方向に移動できるために、前記段差部１２の側面は、前記転送レバー４２を収容する穴を設置すべきである。
【００１２】
リセットレバー４４は、転送レバー４２と接続し、リセットレバー４４は、バネ４５を内蔵する伸縮レバー構造であり、リセットレバー４４は、バネ４５により転送レバー４２を支えて、積載片４１が宙吊り状態になり、実際の使用中に、鍋を五徳３に置くと、転送レバー４２が下へ移動して、遠火調節弁４３が左回りで最大開度まで回転する。
そのときに、遠火調節弁４３は、ガス量を制限せず、即ち、ガスバーナー２の炎の大きさは、調節ボタン６の指定の大きさに対応する。
鍋が前記五徳３から離れて行くと、転送レバー４２は、上へ移動し、遠火調節弁４３が右回りで最小開度まで回転する。
その時に、ガスバーナー２の炎は、ガス量の減少により小さくなり、それによって、鍋が火から離れた後、自動的にガスバーナー２の炎が減少し、炎で回りの物を燃やす危険を低下する。
【００１３】
上記の動作を実現するために、本考案における転送レバー４２の一端は、積載片４１の側辺と接続し、他の一端には、歯切れ構造を設置し、遠火調節弁４３の調節部が歯車構造であり、転送レバー４２は、歯切れと歯車との噛み合い伝動により、遠火調節弁４３のバブル開度を変える。
図のように、転送レバー４２には、歯切れ構造があって、遠火調節弁４３上の歯車噛み合い伝動により、転送レバー４２の移動を歯車の移動に転化し、それによって、遠火調節弁４３のバブル開度を変える。
本考案のガスコンロは、前記転送レバー４２の構造が上記に公開した歯車と歯切れ構造だけではなく、移動から回転まで転化する方式であれば本考案における転送レバー４２と遠火調節弁４３に応用でき、例えば、スライダー機構とクランク機構など、転送レバー４２の移動により、遠火調節弁４３の調節部が伝動するものであればよい。
【００１４】
本考案におけるバネ４５は、以下の条件を満足すべき、すなわち、バネ４５の弾力が、五徳３と積載片４１と転送レバー４２との重力の和より大きいと、五徳３に鍋を置かない場合、転送レバー４２を持ち上げる。
五徳３と積載片４１と転送レバー４２とは、宙吊り状態になる。
バネ４５の弾力が、五徳３と積載片４１と転送レバー４２と鍋との和より小さいときは、五徳３に鍋を置くと、バネ４５は、圧縮する。
積載片４１は、前記段差部１２の底に接触し、鍋に対して安定な支えになる。
【００１５】
さらに、積載片４１を相対水平の状態に維持するために、五徳３に鍋を置き、前記保護装置４は、複数のリセットレバー４４を含み、複数のリセットレバー４４が燃焼穴１１の中心位置に対して一様で対称的な分布となり、それによって、それぞれの方向から前記積載片４１を支えることができる。
同時に、複数のリセットレバー４４を設置することにより、バネ４５の数を増えることによって、それぞれのバネ４５が耐える圧力を緩め、その上に、バネ４５の抗疲労強度を増大させ、バネ４５の使用時間が延びる。
【００１６】
使用中に、相対安定な鍋の放置状態を維持するために、前記積載片４１が五徳３と繋がる上下移動距離は、長いほうがよくない。
そして、本考案の実施例において、図５のように、転送レバー４２は、ガスコンロのフレーム板１の段差部１２と連結し、連結する位置が転送レバー４２と積載片４１との接続する位置に近寄る。
以上から分かるように、仮に、転送レバー４２の連結する位置が、前記積載片４１の接続する位置に近寄ると、全体の転送レバー４２が、一つのてこ構造になる。
それによって、積載片４１の移動距離を大きくして、積載片４１がより小さい移動距離を持つ場合、遠火調節弁４３の動作の制御量を満足することができ、鍋の放置の安定状態を増加することができる。
他には、本実施例において、転送レバー４２は、ガスコンロのフレーム板１の段差部１２に連結されることによって、転送レバー４２の位置をさらに制限でき、転送レバー４２が縦方向の変位のみを転送でき、転送レバー４２が他の方向へ偏移することでリセットレバー４４の支える効果に影響することを防止する。
【００１７】
さらに、図６のように、もっと良い炎の制御効果を得るために、リセットレバー４４は、外套筒４４１と活動レバー４４２と接触ブロック４４３とを備える。
その接触ブロック４４３は、活動レバー４４２の頂部に設置し、バネ４５の支えによりガスコンロのフレーム板１に接触させることができる。
接触ブロック４４３は、上底面積が大きく、下底面積がより小さい逆台形構造であり、それによって、接触ブロック４４３とガスコンロのフレーム板１との接触面積を増大し、バネ４５の弾力によって転送レバー４２を整復する過程に、弾力の作用でガスコンロのフレーム板１の底にぶつかることを防止し、まどのフレーム板１が突撃を受けることを防止し、使用寿命を延ばす。
活動レバー４４２は、外套筒４４１の中に設置し、外套筒４４１の中に滑ることができ、活動レバー４４２と外套筒４４１との間の滑りが減衰する。
【００１８】
活動レバー４４２と外套筒４４１との間の減衰効果が、活動レバー４４２と外套筒４４１との間により強い摩擦抵抗力の方式より実現し、或いは、活動レバー４４２の端と外套筒４４１の底との間に、バネ４５の弾力より小さい引っ張りバネを設置し、バネ４５が転送レバー４２を回弾する間に、引っ張りバネが活動レバー４４２に一定の牽引ができ、活動レバー４４２の上昇速度を緩める。
本実施例の中に、減衰効果により、接触ブロック４４３がまどのフレーム板１の底への衝撃を減少し、使用寿命を延ばす一方で、鍋が五徳３から離れて行くと、五徳３と積載片４１と転送レバー４２とが直ちにまどのフレーム板１の位置に回弾できない、それによって、ガス管５の中のガス量を突然減少できなく、ガスバーナー２の炎がだんだん小さくなり、火が消えることを防止することができる。
同時に、減衰効果が短い間に鍋を五徳３から離れて行って、突然に調整した遠火調節弁４３より、ガス管５の中の気圧が異常に変動することを防止し、それによって、炎の安定性を保持する。
【００１９】
本考案の実施例は、図３と図４のように、ガスコンロがガス管５と接続し制御する検査制御システム７を含む。
この検査制御システム７は、ガスコンロ上の調理操作が完了するかどうかを自動的に検査し、調理が完了と判断して、自動的にガスコンロを閉じるため、エネルギーを節約でき、火災のリスクを下げる。
具体的は、検査制御システム７は、第１接触センサ７１とコントローラ７２と安全電磁弁７３とを備える。
その中に、第１接触センサ７１は、転送レバー４２の真上のガスコンロのフレーム板１に設置し、転送レバー４２は、ガスコンロのフレーム板１と接触するかどうかを検出し、安全電磁弁７３は、ガス管５に設置し、コントローラ７２は、第１接触センサ７１と安全電磁弁７３とをそれぞれ接続し、転送レバー４２は、ガスコンロのフレーム板１と接触し予定時間に達し後、安全電磁弁７３を制御し閉じる。
【００２０】
使用中に、第１接触センサ７１は、転送レバー４２がガスコンロのフレーム板１の底面を接触したかどうかを検出し、前記転送レバー４２がガスコンロのフレーム板１を接触したと検出すると、コントローラ７２がカウントダウンし始め、前記第１接触センサ７１によって、転送レバー４２がガスコンロのフレーム板１から離れるかどうかを検査する。
予定の時間の間に、前記第１接触センサ７１は、転送レバー４２をガスコンロのフレーム板１から離れたと検出すると、つまり、転送レバー４２が最高の位置に達していないと、調理操作が続けると判断し、コントローラ７２が蓄積した時間をクリアし、蓄積した時間以内に予定時間に達した場合に、前記第１接触センサ７１が転送レバー４２をガスコンロのフレーム板１から離れたことを検出しない、即ち、転送レバー４２がずっと最高の位置になっている、目前の調理が既に終了したと判断し、コントローラ７２が安全電磁弁７３に閉じるという命令を出し、安全電磁弁７３が閉じて、ガス管５のガス供給を切断する。
【００２１】
本実施例では、前記第１接触センサ７１が赤外線発射原理に基づいて接近するスイッチ、或いは、簡単な抵抗接触スイッチ、即ち、第１接触センサ７１には、二つの金属ポイントがあって、転送レバー４２の接触ブロック４４３が導体になって、転送レバー４２がガスコンロのフレーム板１の底面に接触すると、前記接触ブロック４４３が第１接触センサ７１の二つ金属ポイントを伝導し、それによって、転送レバー４２がガスコンロのフレーム板１と接触するかどうかを検出する。
本実施例の中に、転送レバー４２がガスコンロのフレーム板１と接触するかどうかを検出すると検出の要求に満足する。
【００２２】
さらに、検査制御システム７は、第２接触センサ７４を含み、この第２接触センサ７４は、ガスコンロのフレーム板１の段差部１２の底面に設置され、転送レバー４２が段差部１２の底面に接触するかどうかを検出し、第２接触センサ７４がコントローラ７２と繋がって、転送レバー４２が段差部１２と接触する時間が予定時間に達した後に、安全電磁弁７３の制御を呼び出す。
本実施例では、第２接触センサ７４が鍋を五徳３に置く時間を検出し、それによって、調理のタイプを判断することを補助する。
例えば、鍋を長時間に五徳３に置くと、ユーザが煮込める操作をしていると判断し、大データプラットフォームにより、煮込める炎の制御を獲得し、エネルギーを節約でき、そして、調理操作がもっと知能的になる。
さらに、第２接触センサ７４には、秤量モジュールを設置し、鍋とこの鍋の中の食材との重量を獲得でき、それによって、もっと精確的な制御を制定できる。
【００２３】
他には、本考案における検査制御システム７には、コントローラ７２と繋がる人体センサ７５と警報器７６とを含み、人体センサ７５は、ガスコンロのフレーム板１の側壁に設置され、警報器７６は、ガスコンロのフレーム板１の周辺に設置され、転送レバー４２は、ガスコンロのフレーム板１と接触する時間が予定時間に達した後に、警報信号を出す。
人体センサ７５は、ガスコンロのフレーム板１の側壁に設置する赤外線接近スイッチであっても良く、ガスコンロの周りに人がいるかどうかを検出し、人がいると、警報器７６に警報指令を出し、警報器７６が警笛、閃光などの警報信号を出し、ガスを閉じることを周りの人に注意する。
【００２４】
以上の考案から見ると、本考案は、遠火自動保護ガスコンロを提供し、実際の使用の中に、鍋を五徳３に置いたあと、五徳３が積載片４１と共にガスコンロのフレーム板１の段差部１２の底面まで移動し、鍋が五徳３から離れて行くと、リセットレバー４４が弾力の作用により、積載片４１を上方へ移動させ、積載片４１が上方へ移動する過程で転送レバー４２により、上方への変位を遠火調節弁４３に伝送し、遠火調節弁４３のバルブの開度を小さくする。
鍋を火から離した後自動的にガスバーナー２の炎の強さを調整し、ガスバーナー２の炎で回りの物を燃やすことを防止し、頻繁に手動で調節することを避けて、火災の危険を低下する。
【符号の説明】
【００２５】
１・・・フレーム板
２・・・ガスバーナー
３・・・五徳
４・・・保護装置
４１・・・積載片
４２・・・転送レバー
４３・・・遠火調節弁
４４・・・リセットレバー
４４１・・・外套筒
４４２・・・活動レバー
４４３・・・接触ブロック
４５・・・バネ
５・・・ガス管
６・・・調整ボタン
７・・・検査制御システム
７１・・・第１接触センサ
７２・・・コントローラ
７３・・・安全電磁弁
７４・・・第２接触センサ７４
７５・・・人体センサ
７６・・・警報器
１１・・・燃焼穴
１２・・・段差部
【図１】
0003222519.tif 000003
【図２】
0003222519.tif 000004
【図３】
0003222519.tif 000005
【図４】
0003222519.tif 000006
【図５】
0003222519.tif 000007
【図６】
0003222519.tif 000008
【手続補正書】
【提出日】令和1年6月4日(2019.6.4)
【手続補正１】
【補正対象書類名】実用新案登録請求の範囲
【補正対象項目名】全文
【補正方法】変更
【補正の内容】
【実用新案登録請求の範囲】
【請求項１】
ガスコンロのフレーム板とガスバーナーと五徳とガス管と調整ボタンと保護装置とを備え、
前記ガスバーナーが、前記ガスコンロのフレーム板の燃焼穴の中に設置され、
前記ガス管が、前記ガスバーナーと繋がって前記ガスバーナーに炎を形成し、五徳に載せた鍋を加熱し、前記調整ボタンが前記ガス管に設置され、ガス管の中のガスの量を調整し、前記五徳と繋がる保護装置を含み、
前記保護装置が、積載片と転送レバーと遠火調節弁とリセットレバーとを備え、
前記積載片が、ガスコンロのフレーム板の段差部に設置する環状片であり、前記積載片の上部に前記五徳を置き、
前記積載片の側部が、前記転送レバーにより遠火調節弁と繋がり、
前記リセットレバーが、転送レバーと繋がり、
前記リセットレバーが、バネを内蔵する伸縮レバー構造であり、
前記リセットレバーが、前記バネにより転送レバーを支えて積載片が宙吊りになり、
前記遠火調節弁が、前記調整ボタンとガスバーナーとの間の前記ガス管に設置されていることを特徴とする遠火自動保護ガスコンロ。
【請求項２】
前記ガスコンロが、前記ガス管を接続し制御する検査制御システムを含み、
前記検査制御システムが、第１接触センサとコントローラと安全電磁弁とを備え、
前記第１接触センサが、前記転送レバーの真上の前記ガスコンロのフレーム板に設けられ、
前記転送レバーが、前記ガスコンロのフレーム板と接触するかどうかを検出し、
前記安全電磁弁が、前記ガス管に設けられ、
前記コントローラが、前記第１接触センサと前記安全電磁弁とそれぞれ接続し、
前記転送レバーが、前記ガスコンロのフレーム板との接触時間が予定時間に達した後に、前記安全電磁弁を閉じることを制御することを特徴とする請求項１に記載の遠火自動保護ガスコンロ。
【請求項３】
前記検査制御システムが、第２接触センサを備え、
前記第２接触センサが、ガスコンロのフレーム板の段差部の底に設けられ、
前記転送レバーが、前記段差部の底に接触するかどうかを検出し、
前記第２接触センサが、前記コントローラと繋がって前記転送レバーが前記段差部の底に接触する時間が予定時間に達した後に前記安全電磁弁の制御策略を呼び出すことを特徴とする請求項２に記載の遠火自動保護ガスコンロ。
【請求項４】
前記検査制御システムが、コントローラの人体センサと警報器を備え、
前記人体センサが、前記ガスコンロのフレーム板の側壁に設置し、
前記警報器が、前記ガスコンロのフレーム板の縁辺に設置し、
前記転送レバーが、前記ガスコンロのフレーム板と接触する時間が予定時間に達した後に通報の信号を出すことを特徴とする請求項２に記載の遠火自動保護ガスコンロ。
【請求項５】
前記転送レバーの一端に前記積載片の側辺と接続し、他の一端には、歯切れ構造を設置し、前記遠火調節弁の調節部が歯車構造であり、
前記転送レバーが、歯切れと歯車との噛み合い伝動により、前記遠火調節弁のバルブ開度を変えることを特徴とする請求項１に記載の遠火自動保護ガスコンロ。
【請求項６】
前記転送レバーが、前記ガスコンロのフレーム板の段差部に連結し、
前記連結の位置が、前記転送レバーと前記積載片の接続位置に近接することを特徴とする請求項１に記載の遠火自動保護ガスコンロ。
【請求項７】
前記リセットレバーが、外套筒、活動レバー、接触ブロックを備え、
前記活動レバーが、外套筒の内部に設置し、前記外套筒の内部に滑り、
前記活動レバーが、前記外套筒との間の滑りを減衰し、
前記接触ブロックが、前記活動レバーの先端に設置され、前記バネの支えにより前記ガスコンロのフレーム板と接触することを特徴とする請求項１に記載の遠火自動保護ガスコンロ。
【手続補正２】
【補正対象書類名】明細書
【補正対象項目名】全文
【補正方法】変更
【補正の内容】
【考案の詳細な説明】
【技術分野】
【０００１】
本考案は、知能型家庭用品に関し、特に、遠火自動保護ガスコンロに関するものである。
【背景技術】
【０００２】
現有のガスコンロを使用する場合に、五徳の下方の燃焼頭が、炎を形成し、五徳の上の鍋を加熱する。
オペレータが調理によって、例えば、炒める場合に、よく鍋を五徳から離し、この時に、燃焼頭上の炎が浪費になる。
その他に、燃焼頭の炎が、スモーカーの作用下に増え続けて、ガスコンロの回りに火をつけやすい、火事を引起す危険がある。
【０００３】
鍋を火から離す場合に、燃焼頭の炎が周りのものに危険を及ぼすことを避けるために、現有のガスコンロでは、調理の過程で鍋を炎から離すと、手動で炎の強さを調整し、燃焼頭の炎を小さくし、鍋を再び五徳に置いて調理する場合に、手動で燃焼頭の炎を大きくする。
多くの場合に、一回の調理で何回も鍋を火から離して、何回も手動調整する必要があって、現有のガスコンロ、特に、猛火ガスコンロは、調理の過程において操作不便の問題がある。
【考案の概要】
【考案が解決しようとする課題】
【０００４】
本考案は、遠火自動保護ガスコンロを提供し、伝統のガスコンロによる火災危険を解決するのである。
【課題を解決するための手段】
【０００５】
本考案の遠火自動保護ガスコンロは、ガスコンロのフレーム板とガスバーナーと五徳とガス管と調整ボタンとを備え、前記ガスバーナーが、前記ガスコンロのフレーム板の燃焼穴に設置され、前記ガス管が、前記ガスバーナーと繋がって前記ガスバーナーに炎を形成し、前記五徳に載せた鍋を過熱し、前記調整ボタンが、前記ガス管に設置され、ガス管の中のガス流量を調整し、五徳に接続する保護装置も含み、前記保護装置が、積載片と転送レバーと遠火調節弁及びリセットレバーを備え、前記積載片が、前記ガスコンロのフレーム板の段差部に設置する環状片であり、前記積載片の上部に五徳を置き、前記積載片の側部が、転送レバーにより前記遠火調節弁と接続し、前記リセットレバーが、前記転送レバーと接続し、前記リセットレバーが、バネの伸縮レバー構造を内蔵し、前記リセットレバーが、前記バネにより前記転送レバーを支え、前記積載片が、宙吊り状態になり、前記遠火調節弁が、調節ボタンとガスバーナーとの間のガス管に設置されている。
本考案は、遠火自動保護ガスコンロを提供し、実際使用の場合に、鍋を五徳に置いた後、五徳が積載片と共に下へガスコンロのフレーム板の段差部の底まで移動し、鍋が五徳から離れる場合に、リセットレバーが弾力作用により積載片を上へ移動させ、積載片が上へ移動する過程で転送レバーにより上への変位を遠火調節弁まで転送し、遠火調節弁の開度が小さくする。
鍋が火から離れると、ガスバーナーの炎を自動的に小さくし、ガスバーナーの炎により、ガスコンロの周りの物を燃やすことを避け、頻繁に手動で調節することを避け、火災のリストを下げる。
【図面の簡単な説明】
【０００６】
【図１】本考案の遠火自動保護ガスコンロの構成を示す図である。
【図２】本考案の遠火自動保護ガスコンロの局部の構成を示す断面図である。
【図３】本考案の遠火自動保護ガスコンロの回路の接続を示す図である。
【図４】本考案における検査制御システムの回路の接続を示す図である。
【図５】本考案における保護装置の一つの例示を示す図である。
【図６】本考案におけるリセットレバーを示す図である。
【考案を実施するための形態】
【０００７】
図１は、本考案の一実施例に係る遠火自動保護ガスコンロの構成を示す図であり、図２は、本考案の遠火自動保護ガスコンロにおける局部の構成を示す断面図である。
図１と図２により、本考案は、遠火自動保護ガスコンロを提供し、ガスコンロのフレーム板１とガスバーナー２と五徳３とガス管５と調整ボタン６とを備える。
前記ガスコンロのフレーム板１は、全体のガスコンロを支える。
ガスコンロの外殻として、ガスコンロのフレーム板１は、美観と艶やかを持つ硬化ガラス或いは金属材料により構成する。
ガスコンロのフレーム板１の上にガスを燃やす場所を提供し、即ち、ガスコンロのフレーム板１に燃焼穴１１を設置し、燃焼穴１１の数量がガスコンロ上の料理するワークステーションの数を決め、例えば、普通の家庭用のガスコンロには、二つの料理する場所を設置し、即ち、ガスコンロのフレーム板１に二つの燃焼穴１１を設置する。
【０００８】
ガスバーナー２は、ガスコンロのフレーム板１の燃焼穴１１の中に設置し、ガス管５は、ガスバーナー２と繋がり、ガスバーナー２の上に炎を形成し、五徳３が支える鍋を加熱する。
ガスバーナー２の形により、燃焼穴１１は、適当な形にする。
通常、ガスバーナー２は、円筒構造であるため、燃焼穴１１は、円筒形の沈孔構造である。
このために、燃焼穴１１は、ガスコンロのフレーム板１の上の上端面と、ガスバーナー２の下方の下端面と、上端面と下端面の間の側壁を備える。
明らかに、五徳３の上の鍋を加熱するために、五徳３は、燃焼穴１１の上端面の位置に設置され、ガスバーナー２は、燃焼穴の下端に固定し、燃焼穴１１の側壁には、ガス管５を通すための穴を設置してある。
【０００９】
本考案のガスコンロ上の調整ボタン６は、二つの機能があり、その一つ目の機能は、火をつけること、つまり、調整ボタン６を押す、また、回転することにより、ガスバーナー２に電気の火花ができて、ガスバーナー２は、放出されたガスを燃やし、その二つ目の機能は、炎の大きさを調整し、つまり、調整ボタン６は、ガス管５に設置して内蔵した調節弁により、料理中に、手動でガス管５からガスバーナー２のガス量を調整することができる。
【００１０】
鍋を火から離す場合の自動保護を実現するために、本考案のガスコンロは、五徳３と接続する保護装置４を含む。
具体的には、保護装置４は、積載片４１と転送レバー４２と遠火調節弁４３とリセットレバー４４とを備える。
前記積載片４１は、ガスコンロのフレーム板１の段差部１２の中に設置した環状片であり、積載片４１の上方には、五徳３を設置する。
本考案における燃焼穴１１の上端には、段差部１２を設置し、この段差部１２は、ガスコンロのフレーム板１と平行する底面と、ガスコンロのフレーム板１と垂直する側面と、を備える。
段差部１２は、積載片４１と五徳３を置くことができ、鍋を置いた後の安定性とガスコンロの全体の美観を保持することができる。
段差部１２は、積載片４１の縦方向の移動スペースを提供する。
積載片４１は、環状片であり、その内径は、燃焼穴１１の直径より大きいか或いは等しく、積載片４１は、ガスバーナー２の炎の燃焼を防ぐことを回避する。
本考案における燃焼穴１１と段差部１２とフレーム板１とは、一体成形の金属或いは高温に耐える硬化ガラス材料からなり、全体の美観を保ち、安定の支える強度を持つ。
【００１１】
積載片４１の側面は、転送レバー４２により、遠火調節弁４３と接続する。
転送レバー４２は、前記ガスコンロのフレーム板１を貫通する段差部１２の側面の棒構造であり、五徳３に鍋を置いたあと、鍋の重力によって五徳３と積載片４１とを圧迫して、下へ最終接触する前記段差部１２の底まで移動し、段差部１２の底の支えを受ける。
本考案における積載片４１は、縦方向の移動により、転送レバー４２も縦方向に移動させ、その移動した変位を遠火調節弁４３に転送し、遠火調節弁４３を制御することができ、この遠火調節弁４３は、調整ボタン６とガスバーナー２の間のガス管５に設置され、ガス管５の中のガス量を制御することができる。
転送レバー４２は、縦方向に移動できるために、前記段差部１２の側面は、前記転送レバー４２を収容する穴を設置すべきである。
【００１２】
リセットレバー４４は、転送レバー４２と接続し、リセットレバー４４は、バネ４５を内蔵する伸縮レバー構造であり、リセットレバー４４は、バネ４５により転送レバー４２を支えて、積載片４１が宙吊り状態になり、実際の使用中に、鍋を五徳３に置くと、転送レバー４２が下へ移動して、遠火調節弁４３が左回りで最大開度まで回転する。
そのときに、遠火調節弁４３は、ガス量を制限せず、即ち、ガスバーナー２の炎の大きさは、調節ボタン６の指定の大きさに対応する。
鍋が前記五徳３から離れて行くと、転送レバー４２は、上へ移動し、遠火調節弁４３が右回りで最小開度まで回転する。
その時に、ガスバーナー２の炎は、ガス量の減少により小さくなり、それによって、鍋が火から離れた後、自動的にガスバーナー２の炎が減少し、炎で回りの物を燃やす危険を低下する。
【００１３】
上記の動作を実現するために、本考案における転送レバー４２の一端は、積載片４１の側辺と接続し、他の一端には、歯切れ構造を設置し、遠火調節弁４３の調節部が歯車構造であり、転送レバー４２は、歯切れと歯車との噛み合い伝動により、遠火調節弁４３のバブル開度を変える。
図のように、転送レバー４２には、歯切れ構造があって、遠火調節弁４３上の歯車噛み合い伝動により、転送レバー４２の移動を歯車の移動に転化し、それによって、遠火調節弁４３のバブル開度を変える。
本考案のガスコンロは、前記転送レバー４２の構造が上記に公開した歯車と歯切れ構造だけではなく、移動から回転まで転化する方式であれば、本考案における転送レバー４２と遠火調節弁４３に応用でき、例えば、スライダー機構とクランク機構など、転送レバー４２の移動により、遠火調節弁４３の調節部が伝動するものであればよい。
【００１４】
本考案におけるバネ４５は、以下の条件を満足すべき、すなわち、バネ４５の弾力が、五徳３と積載片４１と転送レバー４２との重力の和より大きいと、五徳３に鍋を置かない場合、転送レバー４２を持ち上げる。
五徳３と積載片４１と転送レバー４２とは、宙吊り状態になる。
バネ４５の弾力が、五徳３と積載片４１と転送レバー４２と鍋との和より小さいときは、五徳３に鍋を置くと、バネ４５は、圧縮する。
積載片４１は、前記段差部１２の底に接触し、鍋に対して安定な支えになる。
【００１５】
さらに、積載片４１を相対水平の状態に維持するために、五徳３に鍋を置き、前記保護装置４は、複数のリセットレバー４４を含み、複数のリセットレバー４４が燃焼穴１１の中心位置に対して一様で対称的な分布となり、それによって、それぞれの方向から前記積載片４１を支えることができる。
同時に、複数のリセットレバー４４を設置することにより、バネ４５の数を増えることによって、それぞれのバネ４５が耐える圧力を緩め、その上に、バネ４５の抗疲労強度を増大させ、バネ４５の使用時間が延びる。
【００１６】
使用中に、相対安定な鍋の放置状態を維持するために、前記積載片４１が五徳３と繋がる上下移動距離は、長いほうがよくない。
そして、本考案の実施例において、図５のように、転送レバー４２は、ガスコンロのフレーム板１の段差部１２と連結し、連結する位置が転送レバー４２と積載片４１との接続する位置に近寄る。
以上から分かるように、仮に、転送レバー４２の連結する位置が、前記積載片４１の接続する位置に近寄ると、全体の転送レバー４２が、一つのてこ構造になる。
それによって、積載片４１の移動距離を大きくして、積載片４１がより小さい移動距離を持つ場合、遠火調節弁４３の動作の制御量を満足することができ、鍋の放置の安定状態を増加することができる。
他には、本実施例において、転送レバー４２は、ガスコンロのフレーム板１の段差部１２に連結されることによって、転送レバー４２の位置をさらに制限でき、転送レバー４２が縦方向の変位のみを転送でき、転送レバー４２が他の方向へ偏移することでリセットレバー４４の支える効果に影響することを防止する。
【００１７】
さらに、図６のように、もっと良い炎の制御効果を得るために、リセットレバー４４は、外套筒４４１と活動レバー４４２と接触ブロック４４３とを備える。
その接触ブロック４４３は、活動レバー４４２の頂部に設置し、バネ４５の支えによりガスコンロのフレーム板１に接触させることができる。
接触ブロック４４３は、上底面積が大きく、下底面積がより小さい逆台形構造であり、それによって、接触ブロック４４３とガスコンロのフレーム板１との接触面積を増大し、バネ４５の弾力によって転送レバー４２を整復する過程に、弾力の作用でガスコンロのフレーム板１の底にぶつかることを防止し、まどのフレーム板１が突撃を受けることを防止し、使用寿命を延ばす。
活動レバー４４２は、外套筒４４１の中に設置し、外套筒４４１の中に滑ることができ、活動レバー４４２と外套筒４４１との間の滑りが減衰する。
【００１８】
活動レバー４４２と外套筒４４１との間の減衰効果が、活動レバー４４２と外套筒４４１との間により強い摩擦抵抗力の方式より実現し、或いは、活動レバー４４２の端と外套筒４４１の底との間に、バネ４５の弾力より小さい引っ張りバネを設置し、バネ４５が転送レバー４２を回弾する間に、引っ張りバネが活動レバー４４２に一定の牽引ができ、活動レバー４４２の上昇速度を緩める。
本実施例の中に、減衰効果により、接触ブロック４４３がまどのフレーム板１の底への衝撃を減少し、使用寿命を延ばす一方で、鍋が五徳３から離れて行くと、五徳３と積載片４１と転送レバー４２とが直ちにまどのフレーム板１の位置に回弾できない、それによって、ガス管５の中のガス量を突然減少できなく、ガスバーナー２の炎がだんだん小さくなり、火が消えることを防止することができる。
同時に、減衰効果が短い間に鍋を五徳３から離れて行って、突然に調整した遠火調節弁４３より、ガス管５の中の気圧が異常に変動することを防止し、それによって、炎の安定性を保持する。
【００１９】
本考案の実施例は、図３と図４のように、ガスコンロがガス管５と接続し制御する検査制御システム７を含む。
この検査制御システム７は、ガスコンロ上の調理操作が完了するかどうかを自動的に検査し、調理が完了と判断して、自動的にガスコンロを閉じるため、エネルギーを節約でき、火災のリスクを下げる。
具体的は、検査制御システム７は、第１接触センサ７１とコントローラ７２と安全電磁弁７３とを備える。
その中に、第１接触センサ７１は、転送レバー４２の真上のガスコンロのフレーム板１に設置し、転送レバー４２は、ガスコンロのフレーム板１と接触するかどうかを検出し、安全電磁弁７３は、ガス管５に設置し、コントローラ７２は、第１接触センサ７１と安全電磁弁７３とをそれぞれ接続し、転送レバー４２は、ガスコンロのフレーム板１と接触し予定時間に達し後、安全電磁弁７３を制御し閉じる。
【００２０】
使用中に、第１接触センサ７１は、転送レバー４２がガスコンロのフレーム板１の底面を接触したかどうかを検出し、前記転送レバー４２がガスコンロのフレーム板１を接触したと検出すると、コントローラ７２がカウントダウンし始め、前記第１接触センサ７１によって、転送レバー４２がガスコンロのフレーム板１から離れるかどうかを検査する。
予定の時間の間に、前記第１接触センサ７１は、転送レバー４２をガスコンロのフレーム板１から離れたと検出すると、つまり、転送レバー４２が最高の位置に達していないと、調理操作が続けると判断し、コントローラ７２が蓄積した時間をクリアし、蓄積した時間以内に予定時間に達した場合に、前記第１接触センサ７１が転送レバー４２をガスコンロのフレーム板１から離れたことを検出しない、即ち、転送レバー４２がずっと最高の位置になっている、目前の調理が既に終了したと判断し、コントローラ７２が安全電磁弁７３に閉じるという命令を出し、安全電磁弁７３が閉じて、ガス管５のガス供給を切断する。
【００２１】
本実施例では、前記第１接触センサ７１が赤外線発射原理に基づいて接近するスイッチ、或いは、簡単な抵抗接触スイッチ、即ち、第１接触センサ７１には、二つの金属ポイントがあって、転送レバー４２の接触ブロック４４３が導体になって、転送レバー４２がガスコンロのフレーム板１の底面に接触すると、前記接触ブロック４４３が第１接触センサ７１の二つ金属ポイントを伝導し、それによって、転送レバー４２がガスコンロのフレーム板１と接触するかどうかを検出する。
本実施例の中に、転送レバー４２がガスコンロのフレーム板１と接触するかどうかを検出すると検出の要求に満足する。
【００２２】
さらに、検査制御システム７は、第２接触センサ７４を含み、この第２接触センサ７４は、ガスコンロのフレーム板１の段差部１２の底面に設置され、転送レバー４２が段差部１２の底面に接触するかどうかを検出し、第２接触センサ７４がコントローラ７２と繋がって、転送レバー４２が段差部１２と接触する時間が予定時間に達した後に、安全電磁弁７３の制御を呼び出す。
本実施例では、第２接触センサ７４が鍋を五徳３に置く時間を検出し、それによって、調理のタイプを判断することを補助する。
例えば、鍋を長時間に五徳３に置くと、ユーザが煮込める操作をしていると判断し、大データプラットフォームにより、煮込める炎の制御を獲得し、エネルギーを節約でき、そして、調理操作がもっと知能的になる。
さらに、第２接触センサ７４には、秤量モジュールを設置し、鍋とこの鍋の中の食材との重量を獲得でき、それによって、もっと精確的な制御を制定できる。
【００２３】
他には、本考案における検査制御システム７には、コントローラ７２と繋がる人体センサ７５と警報器７６とを含み、人体センサ７５は、ガスコンロのフレーム板１の側壁に設置され、警報器７６は、ガスコンロのフレーム板１の周辺に設置され、転送レバー４２は、ガスコンロのフレーム板１と接触する時間が予定時間に達した後に、警報信号を出す。
人体センサ７５は、ガスコンロのフレーム板１の側壁に設置する赤外線接近スイッチであっても良く、ガスコンロの周りに人がいるかどうかを検出し、人がいると、警報器７６に警報指令を出し、警報器７６が警笛、閃光などの警報信号を出し、ガスを閉じることを周りの人に注意する。
【００２４】
以上の考案から見ると、本考案は、遠火自動保護ガスコンロを提供し、実際の使用の中に、鍋を五徳３に置いたあと、五徳３が積載片４１と共にガスコンロのフレーム板１の段差部１２の底面まで移動し、鍋が五徳３から離れて行くと、リセットレバー４４が弾力の作用により、積載片４１を上方へ移動させ、積載片４１が上方へ移動する過程で転送レバー４２により、上方への変位を遠火調節弁４３に伝送し、遠火調節弁４３のバルブの開度を小さくする。
鍋を火から離した後自動的にガスバーナー２の炎の強さを調整し、ガスバーナー２の炎で回りの物を燃やすことを防止し、頻繁に手動で調節することを避けて、火災の危険を低下する。
【符号の説明】
【００２５】
１・・・フレーム板
２・・・ガスバーナー
３・・・五徳
４・・・保護装置
４１・・・積載片
４２・・・転送レバー
４３・・・遠火調節弁
４４・・・リセットレバー
４４１・・・外套筒
４４２・・・活動レバー
４４３・・・接触ブロック
４５・・・バネ
５・・・ガス管
６・・・調整ボタン
７・・・検査制御システム
７１・・・第１接触センサ
７２・・・コントローラ
７３・・・安全電磁弁
７４・・・第２接触センサ７４
７５・・・人体センサ
７６・・・警報器
１１・・・燃焼穴
１２・・・段差部